【手続補正書】
【提出日】平成19年10月15日(2007.10.15)
【手続補正１】
【補正対象書類名】明細書
【補正対象項目名】特許請求の範囲
【補正方法】変更
【補正の内容】
【特許請求の範囲】
【請求項１】  冷凍空調装置等に用いられ、冷媒ガスを吸入、圧縮し、吐出する圧縮機構部と、該圧縮機構部を駆動する電動機部と、前記圧縮機構部と前記電動機部を連結する駆動軸と、前記圧縮機構部や前記駆動軸の複数の摺動箇所に供給され、これら摺動箇所の潤滑を行う潤滑油とを密閉容器内に収納した密閉型圧縮機のリサイクル支援システムであって、
前記密閉型圧縮機の製造業者により提供される、圧縮機型名や製造番号等の製品識別コードに関連付けて蓄積された前記密閉型圧縮機のリサイクルに関連する情報、及び該情報を管理するシステム管理プログラムを有するサーバコンピュータと、
リサイクル業者側の端末装置と、
ネットワ−クで接続され、相互に情報の送信、受信を可能とする、前記サーバコンピュータ及び前記端末装置の送受信装置とを備え、
前記サーバコンピュータは前記リサイクル業者に対する認証手段を有し、
前記端末装置には、前記リサイクル業者がリサイクルに関連する情報を要求する前記製品識別コードを入力する入力装置と、
前記要求に応えて前記サーバコンピュータから送信される前記製品識別コードに該当する密閉型圧縮機のリサイクルに関連する情報を画面表示する表示装置、印刷出力する出力装置及び記憶する記憶装置のうち少なくともいずれか１つの装置を備えたことを特徴とする密閉型圧縮機のリサイクル支援システム。
【請求項２】  前記ネットワークがインターネットであることを特徴とする請求項１に記載の密閉型圧縮機のリサイクル支援システム。
【請求項３】 冷凍空調装置等に用いられ、冷媒ガスを吸入、圧縮し、吐出する圧縮機構部と、該圧縮機構部を駆動する電動機部と、前記圧縮機構部と前記電動機部を連結する駆動軸と、前記圧縮機構部や前記駆動軸の複数の摺動箇所に供給され、これら摺動箇所の潤滑を行う潤滑油とを密閉容器内に収納した密閉型圧縮機のリサイクル支援システムであって、
前記密閉型圧縮機のリサイクルに関連する情報を要求する圧縮機型名や製造番号等の前記密閉型圧縮機の製品識別コードをリサイクル業者に入力させるための入力画面を表示し、入力された製品識別コ−ドに該当する密閉型圧縮機のリサイクルに関する情報を前記リサイクル業者に閲覧させる閲覧画面を表示する表示装置を有する前記リサイクル業者側の端末装置を備えたことを特徴とする密閉型圧縮機のリサイクル支援システム。
【請求項４】 冷凍空調装置等に用いられ、冷媒ガスを吸入、圧縮し、吐出する圧縮機構部と、該圧縮機構部を駆動する電動機部と、前記圧縮機構部と前記電動機部を連結する駆動軸と、前記圧縮機構部や前記駆動軸の複数の摺動箇所に供給され、これら摺動箇所の潤滑を行う潤滑油とを密閉容器内に収納した密閉型圧縮機のリサイクル支援システムであって、
リサイクル業者側の端末装置との情報の送受信を行う送受信装置と、
圧縮機型名や製造番号等の製品識別コードに関連付けて蓄積された密閉型圧縮機のリサイクルに関連する情報を記憶する記憶装置と、
前記送受信装置と前記記憶装置とを用いて処理を行う処理装置とを有し、
前記処理装置は、前記リサイクル業者側の端末装置が要求するリサイクルに関連する情報の対象となる密閉型圧縮機の製品識別コードを、前記送受信装置が受信した場合に、前記記憶装置の記憶する前記製品識別コードに該当する密閉型圧縮機のリサイクルに関する情報を前記送受信装置に送信し、前記送受信装置が前記リサイクル業者側の端末装置にこの密閉型圧縮機のリサイクルに関する情報を送信することを特徴とする密閉型圧縮機のリサイクル支援システム。
【請求項５】  前記密閉型圧縮機のリサイクルに関する情報が、前記密閉型圧縮機の解体・回収手順情報であり、前記潤滑油の排出・回収、次いで前記密閉容器の切断・解体、次いで部品の取外し・回収の手順情報及びそれぞれの手順の詳細情報であることを特徴とする請求項１から請求項４のいずれかに記載の密閉型圧縮機のリサイクル支援システム。
【請求項６】  前記密閉型圧縮機のリサイクルに関連する情報が、前記潤滑油を前記密閉容器から効率的に排出する方法に関する情報であって、リサイクル業者が前記密閉容器に設ける排出穴の好適位置及び直径、排出時の前記密閉型圧縮機の姿勢であることを特徴とする請求項１から請求項４のいずれかに記載の密閉型圧縮機のリサイクル支援システム。
【請求項７】  前記密閉型圧縮機のリサイクルに関連する情報が、前記潤滑油の種類および油量であることを特徴とする請求項１から請求項４のいずれかに記載の密閉型圧縮機のリサイクル支援システム。
【請求項８】  前記密閉型圧縮機のリサイクルに関連する情報が、前記密閉容器を切断するのに際して、該密閉容器切断後の解体工程が円滑に進むような、該密閉容器外周面の好適な切断位置と切断順序であることを特徴とする請求項１から請求項４のいずれかに記載の密閉型圧縮機のリサイクル支援システム。
【請求項９】  前記密閉型圧縮機のリサイクルに関連する情報が、前記密閉型圧縮機を構成する各部品の材料名および各材料の使用重量であることを特徴とする請求項１から請求項４のいずれかに記載の密閉型圧縮機のリサイクル支援システム。
【請求項１０】  前記密閉型圧縮機のリサイクルに関連する情報が、前記密閉容器の材料名と板厚、および前記密閉型圧縮機の全体重量であることを特徴とする請求項１から請求項４のいずれかに記載の密閉型圧縮機のリサイクル支援システム。
【請求項１１】  前記電動機部が、前記駆動軸に嵌着固定される回転子に永久磁石が使用される直流ブラシレスモータで構成される密閉型圧縮機であって、前記密閉型圧縮機のリサイクルに関連する情報が、該永久磁石の脱磁方法であることを特徴とする請求項１から請求項４のいずれかに記載の密閉型圧縮機のリサイクル支援システム。
【請求項１２】 前記リサイクル業者の端末装置の表示装置の画面上に、前記密閉型圧縮機の主要部品を明示した密閉型圧縮機の全体断面図を表示し、前記主要部品を選択することにより、付属する小部品を表示するように複数段に階層表示して、それぞれ部品名、材料名、重量を表示するものであることを特徴とする請求項１から請求項３のいずれかに記載の密閉型圧縮機のリサイクル支援システム。
【請求項１３】  前記表示装置画面上の密閉型圧縮機全体断面図には前記密閉型圧縮機の密閉容器の切断情報である切断位置を表示し、密閉容器の切断と前記主要部品との関連付けがわかるようにしたことを特徴とする請求項１２に記載の密閉型圧縮機のリサイクル支援システム。
【請求項１４】  前記請求項１から請求項１３のいずれかに記載の密閉型圧縮機のリサイクル支援システムにより、密閉型圧縮機のリサイクル作業を行うことを特徴とする密閉型圧縮機のリサイクル方法。
【手続補正２】
【補正対象書類名】明細書
【補正対象項目名】０００８
【補正方法】変更
【補正の内容】
【０００８】
【課題を解決するための手段】
上記の目的を達成するために、この発明に係わる請求項１に記載の密閉型圧縮機のリサイクル支援システムは、密閉型圧縮機の製造業者により提供される、圧縮機型名や製造番号等の製品識別コードに関連付けて蓄積された前記密閉型圧縮機のリサイクルに関連する情報、及び該情報を管理するシステム管理プログラムを有するサーバコンピュータと、リサイクル業者側の端末装置と、ネットワ−クで接続され、相互に情報の送信、受信を可能とする、前記サーバコンピュータ及び前記端末装置の送受信装置とを備え、前記サーバコンピュータは前記リサイクル業者に対する認証手段を有し、前記端末装置には、前記リサイクル業者がリサイクルに関連する情報を要求する前記製品識別コードを入力する入力装置と、前記要求に応えて前記サーバコンピュータから送信される前記製品識別コードに該当する密閉型圧縮機のリサイクルに関連する情報を画面表示する表示装置、印刷出力する出力装置及び記憶する記憶装置のうち少なくともいずれか１つの装置を備えたシステムである。
【手続補正３】
【補正対象書類名】明細書
【補正対象項目名】０００９
【補正方法】変更
【補正の内容】
【０００９】
また、この発明に係わる請求項２に記載のリサイクル支援システムは、上記のネットワークとしてインターネットを利用したものである。
【手続補正４】
【補正対象書類名】明細書
【補正対象項目名】００１０
【補正方法】変更
【補正の内容】
【００１０】
また、この発明に係わる請求項３に記載の密閉型圧縮機のリサイクル支援システムは、密閉型圧縮機のリサイクルに関連する情報を要求する圧縮機型名や製造番号等の前記密閉型圧縮機の製品識別コードをリサイクル業者に入力させるための入力画面を表示し、入力された製品識別コ−ドに該当する密閉型圧縮機のリサイクルに関する情報を前記リサイクル業者に閲覧させる閲覧画面を表示する表示装置を有する前記リサイクル業者側の端末装置を備えたシステムである。
【手続補正５】
【補正対象書類名】明細書
【補正対象項目名】００１１
【補正方法】変更
【補正の内容】
【００１１】
また、この発明に係わる請求項４に記載の密閉型圧縮機のリサイクル支援システムは、
リサイクル業者側の端末装置との情報の送受信を行う送受信装置と、圧縮機型名や製造番号等の製品識別コードに関連付けて蓄積された密閉型圧縮機のリサイクルに関連する情報を記憶する記憶装置と、前記送受信装置と前記記憶装置とを用いて処理を行う処理装置とを有し、前記処理装置は、前記リサイクル業者側の端末装置が要求するリサイクルに関連する情報の対象となる密閉型圧縮機の製品識別コードを、前記送受信装置が受信した場合に、前記記憶装置の記憶する前記製品識別コードに該当する密閉型圧縮機のリサイクルに関する情報を前記送受信装置に送信し、前記送受信装置が前記リサイクル業者側の端末装置にこの密閉型圧縮機のリサイクルに関する情報を送信するシステムである。
【手続補正６】
【補正対象書類名】明細書
【補正対象項目名】００１２
【補正方法】変更
【補正の内容】
【００１２】
また、この発明に係わる請求項５に記載の密閉型圧縮機のリサイクル支援システムにおいては、密閉型圧縮機のリサイクルに関する情報が、前記密閉型圧縮機の解体・回収手順情報であり、前記潤滑油の排出・回収、次いで前記密閉容器の切断・解体、次いで部品の取外し・回収の手順情報及びそれぞれの手順の詳細情報である。
【手続補正７】
【補正対象書類名】明細書
【補正対象項目名】００１３
【補正方法】変更
【補正の内容】
【００１３】
また、この発明に係わる請求項６に記載の密閉型圧縮機のリサイクル支援システムにおいては、前記密閉型圧縮機のリサイクルに関連する情報が、前記潤滑油を前記密閉容器から効率的に排出する方法に関する情報であって、リサイクル業者が前記密閉容器に設ける排出穴の好適位置及び直径、排出時の前記密閉型圧縮機の姿勢である。
【手続補正８】
【補正対象書類名】明細書
【補正対象項目名】００１４
【補正方法】変更
【補正の内容】
【００１４】
また、この発明に係わる請求項７に記載の密閉型圧縮機のリサイクル支援システムにおいては、密閉型圧縮機のリサイクルに関連する情報が、前記潤滑油の種類および油量である。
【手続補正９】
【補正対象書類名】明細書
【補正対象項目名】００１５
【補正方法】変更
【補正の内容】
【００１５】
また、この発明に係わる請求項８に記載の密閉型圧縮機のリサイクル支援システムにおいては、密閉型圧縮機のリサイクルに関連する情報が、前記密閉容器を切断するのに際して、該密閉容器切断後の解体工程が円滑に進むような、該密閉容器外周面の好適な切断位置と切断順序である。
【手続補正１０】
【補正対象書類名】明細書
【補正対象項目名】００１６
【補正方法】変更
【補正の内容】
【００１６】
また、この発明に係わる請求項９に記載の密閉型圧縮機のリサイクル支援システムにおいては、密閉型圧縮機のリサイクルに関連する情報が、前記密閉型圧縮機を構成する各部品の材料名および各材料の使用重量である。
【手続補正１１】
【補正対象書類名】明細書
【補正対象項目名】００１７
【補正方法】変更
【補正の内容】
【００１７】
また、この発明に係わる請求項１０に記載の密閉型圧縮機のリサイクル支援システムにおいては、密閉型圧縮機のリサイクルに関連する情報が、前記密閉容器の材料名と板厚、および前記密閉型圧縮機の全体重量である。
【手続補正１２】
【補正対象書類名】明細書
【補正対象項目名】００１８
【補正方法】変更
【補正の内容】
【００１８】
また、この発明に係わる請求項１１に記載の密閉型圧縮機のリサイクル支援システムにおいては、電動機部が、前記駆動軸に嵌着固定される回転子に永久磁石が使用される直流ブラシレスモータで構成される密閉型圧縮機であって、前記密閉型圧縮機のリサイクルに関連する情報が、該永久磁石の脱磁方法である。
【手続補正１３】
【補正対象書類名】明細書
【補正対象項目名】００１９
【補正方法】削除
【補正の内容】
【手続補正１４】
【補正対象書類名】明細書
【補正対象項目名】００２０
【補正方法】削除
【補正の内容】
【手続補正１５】
【補正対象書類名】明細書
【補正対象項目名】００２１
【補正方法】変更
【補正の内容】
【００２１】
また、この発明に係わる請求項１２に記載の密閉型圧縮機のリサイクル支援システムにおいては、前記リサイクル業者の端末装置の表示装置の画面上に、前記密閉型圧縮機の主要部品を明示した密閉型圧縮機の全体断面図を表示し、前記主要部品を選択することにより、付属する小部品を表示するように複数段に階層表示して、それぞれ部品名、材料名、重量を表示するものである。
【手続補正１６】
【補正対象書類名】明細書
【補正対象項目名】００２２
【補正方法】変更
【補正の内容】
【００２２】
また、この発明に係わる請求項１３に記載の密閉型圧縮機のリサイクル支援システムにおいては、前記表示装置画面上の密閉型圧縮機全体断面図には前記密閉型圧縮機の密閉容器の切断情報である切断位置を表示し、密閉容器の切断と前記主要部品との関連付けがわかるようにしたものである。
【手続補正１７】
【補正対象書類名】明細書
【補正対象項目名】００２３
【補正方法】変更
【補正の内容】
【００２３】
また、この発明に係わる請求項１４に記載の密閉型圧縮機のリサイクル方法は、前記請求項１から請求項１３のいずれかに記載の密閉型圧縮機のリサイクル支援システムにより、密閉型圧縮機のリサイクル作業を行うものである。
【手続補正１８】
【補正対象書類名】明細書
【補正対象項目名】００５４
【補正方法】変更
【補正の内容】
【００５４】
【発明の効果】
請求項１に記載の密閉型圧縮機のリサイクル支援システムを構築したことにより、密閉型圧縮機のリサイクル業者は、密閉型圧縮機の製造業者が提供する、正確でかつ大量のリサイクル関連情報を、ネットワークを通じて簡単に入手することができる。しかもこれら情報は製品識別コードにより、その密閉型圧縮機に密着した固有の情報が含まれるため、これらの情報から、リサイクル業者はその密閉型圧縮機のリサイクル作業を極めて効率的にかつ安全に遂行できる。また密閉型圧縮機の製造業者は本支援システムにより、密閉型圧縮機のコストを上昇させることなく、正確なリサイクル関連情報をリサイクル業者に提供でき、循環型社会の形成に大きく貢献できる。そして情報の第三者への漏洩を禁じる秘密保持契約を結んだ特定のリサイクル業者だけが、認証手段により本システムへのアクセスが可能となるので、製造業者は設計情報の流出や不用意な公開を防止できる。
【手続補正１９】
【補正対象書類名】明細書
【補正対象項目名】００５５
【補正方法】変更
【補正の内容】
【００５５】
また、請求項２に記載の密閉型圧縮機のリサイクル支援システムでは、ネットワークとしてインターネットを利用したので、多額の投資により新しく通信網を整備することなく、リサイクル支援システムを安価に構築できる。
【手続補正２０】
【補正対象書類名】明細書
【補正対象項目名】００５６
【補正方法】変更
【補正の内容】
【００５６】
また、請求項３に記載の密閉型圧縮機のリサイクル支援システムでは、密閉型圧縮機のリサイクルに関連する情報を要求する圧縮機型名や製造番号等の密閉型圧縮機の製品識別コードをリサイクル業者に入力させるための入力画面を表示し、入力された製品識別コ−ドに該当する密閉型圧縮機のリサイクルに関する情報を前記リサイクル業者に閲覧させる閲覧画面を表示する表示装置を有する前記リサイクル業者側の端末装置を備えたので、リサイクル業者は端末装置の表示装置に情報を入手したい密閉型圧縮機の製品識別コードを入力し閲覧画面から該当する密閉型圧縮機の解体・回収手順情報、密閉型圧縮機の密閉容器の切断情報、潤滑油に関する情報及び密閉型圧縮機の部品情報についてのリサイクルに関する情報を得ることができ、密閉圧縮機のリサイクル作業を効率的かつ安全に遂行できる。
【手続補正２１】
【補正対象書類名】明細書
【補正対象項目名】００５７
【補正方法】変更
【補正の内容】
【００５７】
また、請求項４に記載の密閉型圧縮機のリサイクル支援システムでは、リサイクル業者側の端末装置との情報の送受信を行う送受信装置と、圧縮機型名や製造番号等の製品識別コードに関連付けて蓄積された密閉型圧縮機のリサイクルに関連する情報を記憶する記憶装置と、前記送受信装置と前記記憶装置とを用いて処理を行う処理装置とを有し、前記処理装置は、前記リサイクル業者側の端末装置が要求するリサイクルに関連する情報の対象となる密閉型圧縮機の製品識別コードを、前記送受信装置が受信した場合に、前記記憶装置の記憶する前記製品識別コードに該当する密閉型圧縮機のリサイクルに関する情報を前記送受信装置に送信し、前記送受信装置が前記リサイクル業者側の端末装置にこの密閉型圧縮機のリサイクルに関する情報を送信するので、リサイクル業者の要求する密閉型圧縮機の密閉型圧縮機の解体・回収手順情報、密閉型圧縮機の密閉容器の切断情報、潤滑油に関する情報及び密閉型圧縮機の部品情報についてタイミング良く効率的に提供できる。これらの情報はリサイクル業者の密閉圧縮器のリサイクル作業に有用である。
【手続補正２２】
【補正対象書類名】明細書
【補正対象項目名】００５８
【補正方法】変更
【補正の内容】
【００５８】
また、請求項５に記載の密閉型圧縮機のリサイクル支援システムでは、密閉型圧縮機のリサイクルに関する情報として、前記密閉型圧縮機の解体・回収手順情報であり、前記潤滑油の排出・回収、次いで前記密閉容器の切断・解体、次いで部品の取外し・回収の手順情報及びそれぞれの手順の詳細情報を提供するようにしたので、密閉型圧縮機のリサイクルに際し、事前に密閉型圧縮機の解体・回収手順情報の提供または入手が可能となり、正しい手順でリサイクル作業を実施できるので、密閉圧縮機に特有な潤滑油をこぼす等の不測の事態をまねくことがなく安全で効率的な密閉圧縮機の解体、回収が可能となる。
【手続補正２３】
【補正対象書類名】明細書
【補正対象項目名】００５９
【補正方法】変更
【補正の内容】
【００５９】
また、請求項６に記載の密閉型圧縮機のリサイクル支援システムでは、密閉型圧縮機のリサイクルに関する情報として、潤滑油を密閉容器から効率的に排出する方法に関する情報を提供するようにしたので、密閉型圧縮機のリサイクル業者は、不要な排出穴を設けてしまったり、潤滑油の排出に時間をかけたりしないで済み、リサイクルコスト削減と時間の短縮が図れ、かつ解体時の潤滑油燃焼の危険が回避できる。また密閉型圧縮機の製造業者は、密閉容器への栓取り付けやマーキングによる密閉型圧縮機のコストを上昇させることなく、リサイクル業者に潤滑油の効果的な排出方法の情報を伝達できる。またこの情報を参考として、リサイクル業者が潤滑油を排出することで、潤滑油はリサイクル業者によって確実に回収されるので、環境汚染の防止につながる。
【手続補正２４】
【補正対象書類名】明細書
【補正対象項目名】００６０
【補正方法】変更
【補正の内容】
【００６０】
また、請求項７に記載の密閉型圧縮機のリサイクル支援システムでは、密閉型圧縮機のリサイクルに関する情報として、潤滑油の種類や物性値、添加剤等の詳細な潤滑油特性および油量を提供するようにしたので、密閉型圧縮機のリサイクル業者は回収した潤滑油の適切な再利用を実施できる。また密閉型圧縮機の製造業者はそれらを表示するためのラベルや銘板による密閉型圧縮機のコストを上昇させることなく、リサイクル業者に潤滑油の特性情報を伝達できる。またこの情報を参考として、リサイクル業者が回収した潤滑油のより効果的な再利用を実施することで、循環型社会の形成に貢献できる。
【手続補正２５】
【補正対象書類名】明細書
【補正対象項目名】００６１
【補正方法】変更
【補正の内容】
【００６１】
また、請求項８に記載の密閉型圧縮機のリサイクル支援システムでは、密閉型圧縮機のリサイクルに関する情報として、密閉型圧縮機解体時に密閉容器を切断する際の最適な切断位置と切断順序を提供するようにしたので、密閉型圧縮機のリサイクル業者は不要な切断をしないで済み、リサイクルコスト削減と時間の短縮が図れ、かつ手順通りに行うことで安全に解体作業が遂行できる。また密閉型圧縮機の製造業者は、密閉容器へのマーキングによる密閉型圧縮機のコストを上昇させることなく、リサイクル業者に最適な密閉容器切断位置と切断順序に関する情報を伝達できる。
【手続補正２６】
【補正対象書類名】明細書
【補正対象項目名】００６２
【補正方法】変更
【補正の内容】
【００６２】
また、請求項９に記載の密閉型圧縮機のリサイクル支援システムでは、密閉型圧縮機のリサイクルに関する情報として、密閉型圧縮機を構成する各部品の材料名および各材料の使用重量を提供するようにしたので、密閉型圧縮機のリサイクル業者は解体後の部品を材料別に詳細に分別でき、また重量も把握できるので、資源価値の判断が容易に行え、効率のよい再資源化が実施できる。また密閉型圧縮機の製造業者は、それらを表示するためのラベルや銘板による密閉型圧縮機のコストを上昇させることなく、リサイクル業者に部品情報を伝達できる。
【手続補正２７】
【補正対象書類名】明細書
【補正対象項目名】００６３
【補正方法】変更
【補正の内容】
【００６３】
また、請求項１０に記載の密閉型圧縮機のリサイクル支援システムでは、密閉型圧縮機のリサイクルに関する情報として、密閉型圧縮機の密閉容器の材料名および板厚、さらに密閉型圧縮機の全体重量を提供するようにしたので、密閉型圧縮機のリサイクル業者は、密閉型圧縮機全体を破砕機により破砕する際、自分が保有する破砕機の能力と照らし合わせて、圧縮機冷却時間や投入量をどの程度にしたら良いか検討でき、必要以上に冷却してしまうエネルギー損失や、投入量の過多による破砕機の故障などが防止できる。また密閉型圧縮機の製造業者は、それらを表示するためのラベルや銘板による密閉型圧縮機のコストを上昇させることなく、リサイクル業者に部品情報を伝達できる。
【手続補正２８】
【補正対象書類名】明細書
【補正対象項目名】００６４
【補正方法】変更
【補正の内容】
【００６４】
また、請求項１１に記載の密閉型圧縮機のリサイクル支援システムでは、密閉型圧縮機のリサイクルに関する情報として、密閉型圧縮機に搭載される直流ブラシレスモータの脱磁方法を提供するようにしたので、密閉型圧縮機のリサイクル業者は、直流ブラシレスモータ搭載の密閉型圧縮機を解体または破砕する前に電動機回転子の永久磁石の磁力を脱磁できるので、以降の作業を効率的かつ安全に遂行でき、また設備や治工具の損害を防止できる。また密閉型圧縮機の製造業者は、それらを表示するためのラベルや銘板による密閉型圧縮機のコストを上昇させることなく、リサイクル業者に直流ブラシレスモータの脱磁方法の情報を伝達できる。
【手続補正２９】
【補正対象書類名】明細書
【補正対象項目名】００６５
【補正方法】削除
【補正の内容】
【手続補正３０】
【補正対象書類名】明細書
【補正対象項目名】００６６
【補正方法】削除
【補正の内容】
【手続補正３１】
【補正対象書類名】明細書
【補正対象項目名】００６７
【補正方法】変更
【補正の内容】
【００６７】
また、この発明に係わる請求項１２に記載の密閉型圧縮機のリサイクル支援システムにおいては、前記端末装置の表示装置の画面上に、前記密閉型圧縮機の主要部品を明示した密閉型圧縮機の全体断面図を表示し、前記主要部品を選択することにより、付属する小部品を表示するように複数段に階層表示して、それぞれ部品名、材料名、重量を表示するようにしたので、前記の密閉圧縮機の部品情報が提供または入手により部品構成、材料名及び重量等が明確になり、密閉圧縮機の解体及び部品、材料の回収が容易となる。
【手続補正３２】
【補正対象書類名】明細書
【補正対象項目名】００６８
【補正方法】変更
【補正の内容】
【００６８】
また、この発明に係わる請求項１３に記載の密閉型圧縮機のリサイクル支援システムにおいては、前記表示装置画面上の密閉型圧縮機全体断面図には前記密閉型圧縮機の密閉容器の切断情報である切断位置を表示し、密閉容器の切断と前記主要部品との関連付けがわかるようにしたので、
【手続補正３３】
【補正対象書類名】明細書
【補正対象項目名】００６９
【補正方法】変更
【補正の内容】
【００６９】
また、この発明に係わる請求項１４に記載の密閉型圧縮機のリサイク方法は、前記請求項１から請求項１３のいずれかに記載の密閉型圧縮機のリサイクル支援システムにより、密閉型圧縮機のリサイクル作業を行うので、密閉型圧縮機に関する所望のリサイクル情報を正確に、かつ迅速に提供または入手でき、密閉型圧縮機の解体、再資源化等のリサイクル作業またはリサイクル作業全般を極めて効率的に運用可能としたので、循環型社会の形成に大きく貢献できる。